(57)【要約】【課題】入力される画像データのフレーム期間が変動する場合であっても、良好な階調性を維持して画像を表示する。【解決手段】フレームメモリー１３５に展開された画像データに基づく画像を表示するための駆動信号を投射部１１０に出力する画像処理部１３０と、駆動信号を規定する複数の出力パターンを記憶する出力パターン記憶部１３１５と、を備え、画像処理部１３０は、駆動信号を、画像データのフレーム期間に対応し、駆動信号のオン期間及びオフ期間を含む出力期間を単位として出力し、出力パターンは、出力期間における駆動信号のオン及びオフのタイミングを規定するパターンであり、出力パターン記憶部１３１５は、出力期間の長さが異なる複数の出力パターンを記憶し、画像処理部１３０は、画像データのフレーム期間と駆動信号の出力期間との差に基づいて、複数の出力パターンのいずれかを選択して駆動信号を出力する。【選択図】図２
2019168630.tif 000002
【特許請求の範囲】
【請求項１】
画像を表示する表示部と、
入力画像データに基づく画像をフレームごとに画像メモリーに展開し、前記画像メモリーに展開された画像を表示するための駆動信号を前記表示部に出力する画像処理部と、
前記駆動信号を規定する複数の出力パターンを記憶する記憶部と、を備え、
前記画像処理部は、前記駆動信号を、前記入力画像データのフレーム期間に対応し、前記駆動信号のオン期間及びオフ期間を含む出力期間を単位として出力し、
前記出力パターンは、前記出力期間における前記駆動信号のオン及びオフのタイミングを規定するパターンであり、
前記記憶部は、出力期間の長さが異なる複数の前記出力パターンを記憶し、
前記画像処理部は、前記入力画像データのフレーム期間と前記駆動信号の出力期間との差に基づいて、複数の前記出力パターンのいずれかを選択し、選択した前記出力パターンに従って前記駆動信号を出力する、表示装置。
【請求項２】
前記画像処理部は、前記入力画像データのフレーム期間を規定する入力垂直同期信号と、前記駆動信号の前記出力期間を規定する出力垂直同期信号との差に基づいて、前記出力パターンを選択する、請求項１記載の表示装置。
【請求項３】
前記記憶部は、第１出力パターンと、前記第１出力パターンよりも出力期間が長い第２出力パターンとを記憶し、
前記画像処理部は、前記入力画像データのフレーム期間と、前記駆動信号の出力期間との差を求め、求めた差が予め設定された設定範囲から逸脱する場合は、前記第２出力パターンに対応した出力期間で前記駆動信号を出力し、求めた差が前記設定範囲以内の場合は、前記第１出力パターンに対応した出力期間で前記駆動信号を出力する、請求項１又は２記載の表示装置。
【請求項４】
前記記憶部は、第１出力パターンと、前記第１出力パターンよりも出力期間が長い第２出力パターンと、前記第１出力パターンよりも出力期間が短い第３出力パターンとを記憶し、
前記画像処理部は、前記入力画像データのフレーム期間と、前記駆動信号の出力期間との差を求め、求めた差が予め設定された設定範囲よりも大きい場合は、前記第２出力パターンに対した出力期間で前記駆動信号を出力し、求めた差が前記設定範囲よりも小さい場合は、前記第３出力パターンに対応した出力期間で前記駆動信号を出力し、求めた差が前記設定範囲以内の場合は、前記第１出力パターンに対応した出力期間で前記駆動信号を出力する、請求項１又は２記載の表示装置。
【請求項５】
前記記憶部は、前記表示部が表現可能な階調値ごとに、出力パターンを記憶し、
前記出力パターンの各々は、対応する階調値に応じて前記駆動信号のオン及びオフのタイミングが規定され、
前記画像処理部は、前記入力画像データの階調値に対応した出力パターンを取得し、取得した前記出力パターンに従って前記駆動信号を出力する、請求項１から４のいずれか１項に記載の表示装置。
【請求項６】
前記駆動信号は、複数のサブ期間を有し、
前記画像処理部は、選択した前記出力パターンに従って複数の前記サブ期間の各々をオン期間又はオフ期間に設定する、請求項１から５のいずれか１項に記載の表示装置。
【請求項７】
前記表示部は、
複数の光変調素子を備える光変調部と、
前記駆動信号に従って複数の前記光変調素子を駆動し、前記サブ期間ごとに、複数の前記光変調素子の変調状態を変更して、光源から射出された光を透過させるオン状態と、前記光源から射出された光を透過させないオフ状態とに制御する駆動部と、を備える、請求項６記載の表示装置。
【請求項８】
入力画像データに基づく画像をフレームごとに画像メモリーに展開するステップと、
前記画像メモリーに展開された画像を表示するための駆動信号を生成するステップと、
生成した前記駆動信号を、前記入力画像データのフレーム期間に対応し、前記駆動信号のオン期間及びオフ期間を含む出力期間を単位として表示部に出力し、前記表示部に、前記入力画像データに基づく画像を表示させるステップ、とを有し、
前記駆動信号を生成するステップは、前記入力画像データのフレーム期間と前記駆動信号の出力期間との差に基づいて、出力期間の長さが異なる複数の出力パターンのいずれかを選択し、選択した前記出力パターンに従って前記駆動信号を生成し、
前記出力パターンは、前記駆動信号を規定するパターンであって、前記出力期間における前記駆動信号のオン及びオフのタイミングを規定するパターンである、表示装置の制御方法。
【発明の詳細な説明】
【技術分野】
【０００１】
本発明は、表示装置、及び表示装置の制御方法に関する。
【背景技術】
【０００２】
従来、１フレームを複数のサブ期間に分割し、各サブ期間において表示素子にオン又はオフ電圧を印加することによって、画像の階調表示を行う装置が知られている（例えば、特許文献１参照）。
特許文献１は、１フレームを構成する複数のサブフィールドのうち、一部のサブフィールドについて期間長を短く設定することで、画像の階調を表現する電気光学装置を開示する。
【先行技術文献】
【特許文献】
【０００３】
【特許文献１】特開２００８−２８７０６３号公報
【発明の概要】
【発明が解決しようとする課題】
【０００４】
しかしながら、特許文献１の電気光学装置は、入力される画像データのフレーム期間が一定であることを前提としており、画像データのフレーム期間が変動する場合、表示画像の階調性が低下する場合があった。
本発明は、入力画像データのフレーム期間が変動する場合であっても、良好な階調性を維持して画像を表示することを目的とする。
【課題を解決するための手段】
【０００５】
上記課題を解決するため、本発明は、画像を表示する表示部と、入力画像データに基づく画像をフレームごとに画像メモリーに展開し、前記画像メモリーに展開された画像を表示するための駆動信号を前記表示部に出力する画像処理部と、前記駆動信号を規定する複数の出力パターンを記憶する記憶部と、を備え、前記画像処理部は、前記駆動信号を、前記入力画像データのフレーム期間に対応し、前記駆動信号のオン期間及びオフ期間を含む出力期間を単位として出力し、前記出力パターンは、前記出力期間における前記駆動信号のオン及びオフのタイミングを規定するパターンであり、前記記憶部は、出力期間の長さが異なる複数の前記出力パターンを記憶し、前記画像処理部は、前記入力画像データのフレーム期間と前記駆動信号の出力期間との差に基づいて、複数の前記出力パターンのいずれかを選択し、選択した前記出力パターンに従って前記駆動信号を出力する。
この構成によれば、入力画像データのフレーム期間と駆動信号の出力期間との差に基づいて、出力期間の長さが異なる複数の出力パターンのいずれかが選択される。このため、選択した出力パターンに従って駆動信号を出力することで、入力画像データのフレーム期間が変動する場合であっても、良好な階調性を維持して画像を表示することができる。
【０００６】
また、本発明は、前記画像処理部は、前記入力画像データのフレーム期間を規定する入力垂直同期信号と、前記駆動信号の前記出力期間を規定する出力垂直同期信号との差に基づいて、前記出力パターンを選択する。
この構成によれば、入力垂直同期信号と、出力垂直同期信号との差に基づいて出力パターンが選択されるので、入力画像データのフレーム期間に変動が生じても、生じた変動に対応した最適な出力パターンを選択することができる。
【０００７】
また、本発明は、前記記憶部は、第１出力パターンと、前記第１出力パターンよりも出力期間が長い第２出力パターンとを記憶し、前記画像処理部は、前記入力画像データのフレーム期間と、前記駆動信号の出力期間との差を求め、求めた差が予め設定された設定範囲から逸脱する場合は、前記第２出力パターンに対応した出力期間で前記駆動信号を出力し、求めた差が前記設定範囲以内の場合は、前記第１出力パターンに対応した出力期間で前記駆動信号を出力する。
この構成によれば、入力画像データのフレーム期間と、駆動信号の出力期間との差に応じて第１出力パターン及び第２出力パターンのいずれかを選択し、選択した出力パターンに対応した出力期間で駆動信号を出力することができる。このため、入力画像データのフレーム期間に変動が生じても、最適な出力パターンを選択して、良好な階調性を維持して画像を表示することができる。
【０００８】
また、本発明は、前記記憶部は、第１出力パターンと、前記第１出力パターンよりも出力期間が長い第２出力パターンと、前記第１出力パターンよりも出力期間が短い第３出力パターンとを記憶し、前記画像処理部は、前記入力画像データのフレーム期間と、前記駆動信号の出力期間との差を求め、求めた差が予め設定された設定範囲よりも大きい場合は、前記第２出力パターンに対した出力期間で前記駆動信号を出力し、求めた差が前記設定範囲よりも小さい場合は、前記第３出力パターンに対応した出力期間で前記駆動信号を出力し、求めた差が前記設定範囲以内の場合は、前記第１出力パターンに対応した出力期間で前記駆動信号を出力する。
この構成によれば、入力画像データのフレーム期間と、駆動信号の出力期間との差に応じて第１出力パターン、第２出力パターン及び第３出力パターンのいずれかを選択し、選択した出力パターンに対応した出力期間で駆動信号を出力することができる。このため、入力画像データのフレーム期間に変動が生じても、最適な出力パターンを選択して、良好な階調性を維持して画像を表示することができる。
【０００９】
また、本発明は、前記記憶部は、前記表示部が表現可能な階調値ごとに、出力パターンを記憶し、前記出力パターンの各々は、対応する階調値に応じて前記駆動信号のオン及びオフのタイミングが規定され、前記画像処理部は、前記入力画像データの階調値に対応した出力パターンを取得し、取得した前記出力パターンに従って前記駆動信号を出力する。
この構成によれば、入力画像データの階調値に対応した出力パターンに従って駆動信号を出力し、階調値に対応した画像を表示部に表示させることができる。
【００１０】
また、本発明は、前記駆動信号は、複数のサブ期間を有し、前記画像処理部は、選択した前記出力パターンに従って複数の前記サブ期間の各々をオン期間又はオフ期間に設定する。
この構成によれば、駆動信号を、サブ期間ごとにオン状態とオフ状態とに切り替えることができる。このため、入力画像データの階調値に対応した画像を表示部に表示させることができる。
【００１１】
また、本発明は、前記表示部は、複数の光変調素子を備える光変調部と、前記駆動信号に従って複数の前記光変調素子を駆動し、前記サブ期間ごとに、複数の前記光変調素子の変調状態を変更して、光源から射出された光を透過させるオン状態と、前記光源から射出された光を透過させないオフ状態とに制御する駆動部と、を備える。
この構成によれば、駆動信号により光変調素子の変調状態を制御して、入力画像データの階調値に対応した画像を表示させることができる。
【００１２】
上記課題を解決するため、本発明は、入力画像データに基づく画像をフレームごとに画像メモリーに展開するステップと、前記画像メモリーに展開された画像を表示するための駆動信号を生成するステップと、生成した前記駆動信号を、前記入力画像データのフレーム期間に対応し、前記駆動信号のオン期間及びオフ期間を含む出力期間を単位として表示部に出力し、前記表示部に、前記入力画像データに基づく画像を表示させるステップ、とを有し、前記駆動信号を生成するステップは、前記入力画像データのフレーム期間と前記駆動信号の出力期間との差に基づいて、出力期間の長さが異なる複数の出力パターンのいずれかを選択し、選択した前記出力パターンに従って前記駆動信号を生成し、前記出力パターンは、前記駆動信号を規定するパターンであって、前記出力期間における前記駆動信号のオン及びオフのタイミングを規定するパターンである。
この構成によれば、入力画像データのフレーム期間と駆動信号の出力期間との差に基づいて、出力期間の長さが異なる複数の出力パターンのいずれかが選択される。このため、選択した出力パターンに従って駆動信号を出力することで、入力画像データのフレーム期間が変動する場合であっても、良好な階調性を維持して画像を表示することができる。
【図面の簡単な説明】
【００１３】
【図１】プロジェクターの構成を示すブロック図。
【図２】画像処理部の構成を示すブロック図。
【図３】入力Ｖｓｙｎｃ、出力Ｖｓｙｎｃ及び駆動信号を示す図。
【図４】入力Ｖｓｙｎｃ、出力Ｖｓｙｎｃ及び駆動信号を示す図。
【図５】入力Ｖｓｙｎｃ、出力Ｖｓｙｎｃ及び駆動信号を示す図。
【図６】入力Ｖｓｙｎｃ、出力Ｖｓｙｎｃ及び駆動信号を示す図。
【図７】入力Ｖｓｙｎｃ、出力Ｖｓｙｎｃ及び駆動信号を示す図。
【図８】画像処理部の動作を示すフローチャート。
【発明を実施するための形態】
【００１４】
［１．プロジェクターの構成］
図１は、表示装置として動作するプロジェクター１００の構成を示すブロック図である。まず、図１を参照してプロジェクター１００の構成について説明する。
【００１５】
プロジェクター１００は、画像インターフェイス部（以下、インターフェイスをＩ／Ｆと略記する）１０５を備える。画像Ｉ／Ｆ部１０５は、コネクター、インターフェイス回路等を備え、プロジェクター１００に対して表示用の画像データを送出する画像ソース機器２００に有線接続される。画像ソース機器２００は、ＤＶＤ（Digital Versatile Disk）プレイヤー等の映像再生装置やパーソナルコンピューター等である。
【００１６】
画像Ｉ／Ｆ部１０５は、画像ソース機器２００から画像信号を受信し、受信した画像信号に含まれる画像データ及び同期信号を取得する。画像データは、複数の画素の各々の階調を色成分毎に示すデータであり、本発明の「入力画像データ」に相当する。また、同期信号は、同期タイミングを示す信号であり、水平同期信号及び垂直同期信号を含む。画像Ｉ／Ｆ部１０５は、同期信号を、制御部１５０及び画像処理部１３０に出力し、画像データを画像処理部１３０に出力する。以下では、画像Ｉ／Ｆ部１０５が画像信号から取得した水平同期信号及び垂直同期信号を、以下では入力同期信号という。また、画像Ｉ／Ｆ部１０５が画像ソース機器２００から受信した画像信号から取得した垂直同期信号を入力垂直同期信号（以下、入力Ｖｓｙｎｃと表記する）という。制御部１５０は、入力同期信号に基づいて処理の実行タイミングを判断し、プロジェクター１００の各部を制御する。画像処理部１３０は、入力同期信号及び画像データに基づいて、後述する光変調部１１２を駆動する駆動信号を生成する。
【００１７】
プロジェクター１００は、投射部１１０を備え、画像データに基づく画像を、投射部１１０によりスクリーンＳＣに投射する。プロジェクター１００がスクリーンＳＣに投射する画像データは、後述するメモリー１５５に記憶されたデータであってもよいし、画像Ｉ／Ｆ部１０５が受信したデータであってもよい。また、画像データは、無線通信によって外部装置から送信され、後述する無線通信部１２７が受信した画像データであってもよい。
【００１８】
投射部１１０は、光源部１１１、光変調部１１２、投射光学系１１３、光源駆動部１１６及び光変調部駆動部１１７を備える。投射部１１０は、本発明の「表示部」として動作する。
【００１９】
光源部１１１は、ハロゲンランプ、キセノンランプ、超高圧水銀ランプ等のランプ、或いは、ＬＥＤ（Light Emitting Diode）やレーザー光源等の固体光源で構成される。光源部１１１は、光源駆動部１１６から供給される電力により発光する。光源駆動部１１６は、光源部１１１に駆動電流やパルスを供給する。光源駆動部１１６は、制御部１５０の制御に従って、光源部１１１の輝度を調整する機能を有してもよい。
【００２０】
光変調部１１２は、光源部１１１が発する光を光変調素子１１５により変調して画像光を生成する。光変調部１１２により生成された画像項は、投射光学系１１３に入射される。本実施形態では、光変調部１１２が透過型の液晶パネルを光変調素子１１５として備える場合を例に挙げて説明するが、光変調素子１１５は、透過型の液晶パネルに限定されるものではなく、反射型の液晶パネルや、ＤＭＤ（デジタルミラーデバイス）等であってもよい。
【００２１】
光変調部駆動部１１７には、画像処理部１３０から同期信号や、駆動信号が入力される。光変調部駆動部１１７は、画像処理部１３０から入力された同期信号や、駆動信号に基づいて光変調部１１２を駆動し、光変調部１１２の光変調素子１１５にフレーム（画面）単位で画像を描画させる。光変調部駆動部１１７の制御により描画される画像によって、光源部１１１が発する光が変調され、変調された光はクロスダイクロイックプリズム等の合成光学系によって合成され、投射光学系１１３に射出される。
【００２２】
投射光学系１１３は、光変調部１１２で変調された光をスクリーンＳＣ上に結像させるレンズやミラーを備える。また、投射光学系１１３は、ズームレンズ、フォーカスレンズ等の各種のレンズまたはレンズ群を含んでもよい。
【００２３】
プロジェクター１００は、画像処理部１３０、入出力Ｉ／Ｆ部１２５、無線通信部１２７及び制御部１５０を備える。これらの各部は、バス１０７により相互に通信可能に接続される。また、後述するように、入出力Ｉ／Ｆ部１２５にはリモコン受光部１２１及び操作パネル１２３が接続され、画像処理部１３０にはフレームメモリー１３５が接続される。フレームメモリー１３５は、本発明の「画像メモリー」に相当する。
【００２４】
画像処理部１３０は、画像Ｉ／Ｆ部１０５から入力される画像データをフレームメモリー１３５に展開する。画像処理部１３０は、フレームメモリー１３５に展開された画像データに対して、各種の画像処理を実行する。画像処理部１３０は、処理後の画像データに基づき、光変調部駆動部１１７を駆動するための駆動信号を生成し、生成した駆動信号を光変調部駆動部１１７に出力する。
【００２５】
画像処理部１３０及びフレームメモリー１３５は、集積回路（ＩＣ）やその他のディジタル回路により構成される。また、画像処理部１３０及びフレームメモリー１３５の構成の一部にアナログ回路が含まれていてもよい。集積回路は、ＬＳＩ、Application Specific Integrated Circuit（ＡＳＩＣ）、ＰＬＤを含む。ＰＬＤは、例えば、ＦＰＧＡを含む。上記各部は、プロセッサーと集積回路との組み合わせであってもよい。組み合わせは、例えば、マイクロコントローラー（ＭＣＵ）、ＳｏＣ（System-on-a-chip）、システムＬＳＩ、チップセットなどと呼ばれる。
【００２６】
制御部１５０は、ＣＰＵ（Central Processing Unit）やマイコン等で構成されるプロセッサー１５３及びメモリー１５５を備える。メモリー１５５は、プロセッサー１５３が実行するプログラムやデータを不揮発的に記憶する記憶装置であり、磁気的記憶装置、フラッシュＲＯＭ等の半導体記憶素子、或いはその他の種類の不揮発性記憶装置により構成される。メモリー１５５は、プロセッサー１５３のワークエリアを構成するＲＡＭを含んでもよい。メモリー１５５は、制御部１５０により処理されるデータや、プロセッサー１５３が実行する制御プログラムを記憶する。
【００２７】
また、プロセッサー１５３は、単一のプロセッサーで構成されてもよいし、複数のプロセッサーがプロセッサー１５３として機能する構成であってもよい。プロセッサー１５３は、制御プログラムを実行してプロジェクター１００の各部を制御する。例えば、プロセッサー１５３は、無線通信部１２７を制御して外部装置との無線通信を実行し、リモコン５や操作パネル１２３で受け付けた操作に対応した処理をプロジェクター１００の対応する機能部に実行させる。また、プロセッサー１５３は、投射部１１０により画像をスクリーンＳＣに投射する場合に、光源駆動部１１６を制御して光源部１１１を点灯又は消灯させ、光変調部駆動部１１７を制御して、画像処理部１３０から入力される駆動信号に基づいて光変調部１１２を駆動させる。
【００２８】
入出力Ｉ／Ｆ部１２５は、ユーザーによる操作を受け付ける。プロジェクター１００は、ユーザーにより操作される入力手段として、リモコン受光部１２１及び操作パネル１２３を備える。リモコン受光部１２１は、リモコン（図示略）が送信する赤外線信号を受光して、受光した信号をデコードする。操作パネル１２３は、プロジェクター１００を操作するための各種のスイッチや、プロジェクター１００の動作状態を示すインジケーターランプ等を有する。入出力Ｉ／Ｆ部１２５は、リモコン受光部１２１及び操作パネル１２３に接続され、操作パネル１２３に対する操作を検出し、受け付けた操作に対応した操作データを制御部１５０に出力する。また、入出力Ｉ／Ｆ部１２５は、リモコン受光部１２１から入力されるデータを制御部１５０に出力する。
【００２９】
無線通信部１２７は、図示しないアンテナやＲＦ（Radio Frequency）回路等を備え、制御部１５０の制御の下、外部装置との間で無線通信規格に準拠して通信する。プロジェクター１００と外部装置とは、無線通信方式によって各種データを送受信可能に接続される。無線通信部１２７が実装する通信方式は、無線ＬＡＮ（Ｗｉ−Ｆｉ（登録商標）を含む）、Ｂｌｕｅｔｏｏｔｈ（登録商標）、ＵＷＢ、携帯電話回線を利用した無線通信方式など、特に制限されない。
【００３０】
［２．画像処理部１３０の構成］
図２は、画像処理部１３０の構成を示すブロック図である。
画像処理部１３０は、カウンター１３１１、処理実行部１３１２及び出力信号生成部１３１３を備える。
【００３１】
カウンター１３１１には、画像Ｉ／Ｆ部１０５から入力同期信号が入力される。また、カウンター１３１１には、出力信号生成部１３１３が光変調部駆動部１１７に出力する垂直同期信号（以下、出力Ｖｓｙｎｃと表記する）の出力タイミングが出力信号生成部１３１３により通知される。出力Ｖｓｙｎｃは、１画面分の画像データの表示期間を示す信号であり、本発明の出力垂直同期信号に相当する。光変調部駆動部１１７は、出力Ｖｓｙｎｃに基づいて、光変調部１１２の光変調素子１１５に描画する画像を切り替える。カウンター１３１１は、出力信号生成部１３１３から出力Ｖｓｙｎｃの出力タイミングの通知を受けるとカウントを開始する。カウンター１３１１は、画像Ｉ／Ｆ部１０５から入力同期信号に含まれる入力Ｖｓｙｎｃが入力されるとカウントを停止し、カウントしたカウント値を出力信号生成部１３１３に出力する。
【００３２】
処理実行部１３１２は、フレームメモリー１３５に展開された画像データに対して各種の画像処理を実行する。例えば、処理実行部１３１２は、画像データの解像度を光変調部１１２の表示解像度に合わせて変換する解像度変換処理を実行する。また、処理実行部１３１２は、画像データの形状を補正する形状補正処理や、画像データの色調を補正する色調補正処理等を実行する。画像処理後の画像データは、フレームメモリー１３５に展開される。
【００３３】
出力信号生成部１３１３は、処理実行部１３１２による画像処理が終了した画像データをフレームメモリー１３５から読み出し、読み出した画像データに基づいて光変調部１１２を駆動する駆動信号を生成する。出力信号生成部１３１３は、生成した駆動信号を光変調部駆動部１１７に出力する。出力信号生成部１３１３は、画像処理部１３０の最終段で駆動信号を生成する処理を行い、生成した駆動信号を投射部１１０に出力する。
【００３４】
また、出力信号生成部１３１３は、出力パターン記憶部１３１５を備える。出力パターン記憶部１３１５は、本発明の「記憶部」に相当する。
出力パターン記憶部１３１５は、駆動信号を規定する複数の出力パターンを記憶する。出力パターンには、フレーム期間が標準期間である第１出力パターンと、フレーム期間が第１出力パターンよりも長い第２出力パターンとが含まれる。フレーム期間とは、１画面分（すなわち、１フレーム）の画像データの表示期間であり、１フレームの画像が投射部１１０によりスクリーンＳＣに投射される期間である。例えば、垂直同期信号により規定される垂直走査周波数が６０Ｈｚであれば、その逆数である１６．７ミリ秒の期間である。このフレーム期間内で、１フレームの画像が光変調素子１１５に描画される。本実施形態では、第１出力パターンのフレーム期間が１６．７ミリ秒であり、第２出力パターンのフレーム期間が１６．７ミリ秒よりも長い期間である場合を例にして説明する。
【００３５】
第１出力パターン及び第２出力パターンは、画像データにより指定される階調値ごとに用意され、出力パターン記憶部１３１５に事前に記憶される。例えば、画像データを構成する画素のデータ（以下、画素データという）の階調値が０階調から２５５階調までの２５６階調であれば、出力パターン記憶部１３１５は、各階調値に対応して２５６個の第１出力パターン及び第２出力パターンを記憶する。複数の第１出力パターン及び第２出力パターンの各々は、対応する階調値に応じて駆動信号のオン及びオフのタイミングが規定される。
【００３６】
また、本実施形態のプロジェクター１００は、光変調素子１１５をサブフィールド駆動によって駆動する。サブフィールド駆動とは、フレーム期間を、複数のサブフィールド期間に分割し、分割したサブフィールド期間の各々で光変調素子１１５をオン又はオフすることで、画像データの階調を表現する方式である。サブフィールド期間は、本発明の「サブ期間」に相当する。分割した各サブフィールド期間において、光変調素子１１５の画素を構成する電極間にオン電位（高電位）又はオフ電位（低電位）を印加することで、各サブフィールド期間で、白表示（透過率１００％）又は黒表示（透過率０％）を行う。光変調素子１１５の画素を構成する電極間にオン電位が供給される場合、光変調素子１１５の画素が、光源部１１１から射出された光を透過するオン状態となる。また、光変調素子１１５の画素を構成する電極間にオフ電位が供給される場合、光変調素子１１５の画素が、光源部１１１から射出された光を遮断する（透過させない）オフ状態となる。これにより、１フレーム又は複数フレームで所望の階調が表現される。第１出力パターン及び第２出力パターンは、複数のサブフィールド期間の各々において、光変調素子１１５に、オン電圧を印加するか、オフ電圧を印加するかを設定したデータである。
【００３７】
出力信号生成部１３１３には、カウンター１３１１のカウント値が入力される。出力信号生成部１３１３は、カウント値を、予め設定された第１しきい値及び第２しきい値と比較して、駆動信号を第１出力パターンに従って出力するのか、第２出力パターンに従って出力するのかを選択する。
【００３８】
また、プロジェクター１００は、フレームロック機能を有している。フレームロック機能とは、投射部１１０に投射させる画像データのフレーム周波数を、画像ソース機器２００から供給される画像信号のフレーム周波数に一致させる機能である。例えば、画像ソース機器２００から供給される画像信号のフレーム周波数が６０Ｈｚである場合、投射部１１０は、６０Ｈｚのフレーム周波数で画像をスクリーンＳＣに投射する。
【００３９】
しかしながら、画像ソース機器２００から供給される画像信号の入力Ｖｓｙｎｃが変動する場合がある。例えば、画像ソース機器２００において、圧縮された画像データを解凍してプロジェクター１００に送信する場合に、画像ソース機器２００で動作するソフトウェアがビジー状態になると、画像信号の入力Ｖｓｙｎｃが変動してしまう場合があった。
【００４０】
このため本実施形態では、出力信号生成部１３１３が、入力Ｖｓｙｎｃと、出力Ｖｓｙｎｃとの差に基づいて、複数の出力パターンからいずれかを選択する。入力Ｖｓｙｎｃは、画像ソース機器２００から供給される画像信号に含まれる画像データのフレーム期間に対応する。出力Ｖｓｙｎｃは、駆動信号の出力期間に対応する。フレームロック機能を有するプロジェクター１００において、入力Ｖｓｙｎｃが変動する前の入力Ｖｓｙｎｃが６０Ｈｚであれば、出力Ｖｓｙｎｃも６０Ｈｚ、駆動信号の出力期間は、１６．７ミリ秒となる。しかし、入力Ｖｓｙｎｃに変動が生じた場合、画像処理部１３０は、この変動に対応して駆動信号の出力期間を変更する。
【００４１】
具体的には、出力信号生成部１３１３は、カウンター１３１１のカウント値を予め設定された第１しきい値及び第２しきい値と比較して、入力Ｖｓｙｎｃの変動範囲が予め設定された設定範囲内にあるか否かを判定する。第１しきい値は、設定範囲の下限値を規定するしきい値であり、第２しきい値は、設定範囲の上限値を規定するしきい値である。
【００４２】
出力信号生成部１３１３は、入力Ｖｓｙｎｃの変動範囲が設定範囲内にある場合、すなわち、第１しきい値≦カウント値≦第２しきい値の場合、フレーム期間が標準期間の第１出力パターンを選択する。出力信号生成部１３１３は、選択した第１出力パターンと、フレームメモリー１３５から読み出した画像データを構成する各画素の画素データに基づいて駆動信号を生成する。例えば、画像データを構成するある画素の画素データが示す階調値が「４０」であったと仮定する。この場合、出力信号生成部１３１３は、階調値「４０」に対応した第１出力パターンを出力パターン記憶部１３１５から取得する。出力信号生成部１３１３は、取得した第１出力パターンに規定されたオン及びオフのタイミングに従って各サブフィールド期間をオン又はオフに設定して駆動信号を生成する。
【００４３】
また、出力信号生成部１３１３は、入力Ｖｓｙｎｃの変動範囲が設定範囲内にない（設定範囲から逸脱した）場合、フレーム期間が第１出力パターンよりも長い第２出力パターンを選択する。設定範囲内にない場合とは、具体的には、第１しきい値＞カウント値、又はカウント値＞第２しきい値の場合である。この場合、出力信号生成部１３１３は、第２出力パターンと、フレームメモリー１３５から読み出した画像データを構成する各画素の画素データとに基づいて駆動信号を生成する。出力信号生成部１３１３は、画素データの階調値に対応した第２出力パターンを出力パターン記憶部１３１５から取得する。出力信号生成部１３１３は、取得した第２出力パターンに規定されたオン及びオフのタイミングに従って各サブフィールド期間をオン又はオフに設定して駆動信号を生成する。
【００４４】
出力信号生成部１３１３は、生成した駆動信号と、出力同期信号とを光変調部駆動部１１７に出力する。出力同期信号には、出力垂直同期信号と、出力水平同期信号（出力Ｈｓｙｎｃと表記する）とが含まれる。
また、出力信号生成部１３１３は、生成した駆動信号を、出力期間を単位として出力する。出力期間は、選択した第１出力パターン又は第２出力パターンのフレーム期間に対応する。
【００４５】
また、出力信号生成部１３１３には、画像Ｉ／Ｆ部１０５から入力同期信号が入力される。出力信号生成部１３１３は、出力パターンとして第２出力パターンを選択した場合、出力Ｖｓｙｎｃのフレーム期間を、入力同期信号に含まれる入力Ｖｓｙｎｃに基づいて変更する。第２出力パターンのフレーム期間は、第１出力パターンのフレーム期間よりも長い。このため、第２出力パターンを選択した場合、出力Ｖｓｙｎｃの出力タイミングを変更する必要がある。出力信号生成部１３１３は、入力Ｖｓｙｎｃと、第２出力パターンのフレーム期間とに基づいて出力Ｖｓｙｎｃの出力タイミングを設定し、設定したタイミングで出力Ｖｓｙｎｃを光変調部駆動部１１７に出力する。また、出力信号生成部１３１３は、出力Ｖｓｙｎｃの出力タイミングをカウンター１３１１に通知する。
【００４６】
図３〜図７を参照しながら、画像処理部１３０の動作についてさらに具体的に説明する。図３〜図７は、入力Ｖｓｙｎｃ、出力Ｖｓｙｎｃ及び駆動信号を示す図である。特に、図３には、入力Ｖｓｙｎｃの４つのフレーム期間（Ａ、Ｂ，Ｃ及びＤ）の長さが「１．０」、すなわち１６．７ミリ秒であり、各フレーム期間に変動が生じていない場合を示す。この場合、出力信号生成部１３１３に入力されるカウンター１３１１のカウント値は、第１しきい値以上、第２しきい値以下の設定範囲内の値となる。出力信号生成部１３１３は、カウンター１３１１のカウント値が設定範囲内の値である場合、出力パターンとして第１出力パターンを選択する。このため、出力信号生成部１３１３は、フレーム期間の長さが「１．０」の出力Ｖｓｙｎｃ及び駆動信号を光変調部駆動部１１７に出力する。
【００４７】
図４には、入力Ｖｓｙｎｃのフレーム期間「Ｂ」の長さが「０．８」であり、他のフレーム期間「Ａ、Ｃ及びＤ」の長さ「１．０」よりもフレーム期間の長さが短い場合を示す。なお、「０．８」とは、１６．７ミリ秒を「１．０」とした場合の比率であり、１３．３６ミリ秒である。
フレーム期間「Ｂ」の長さが「０．８」に変動した場合、カウンター１３１１から出力されるカウント値が第１しきい値よりも小さい値となる。フレーム期間の長さが「０．８」の入力Ｖｓｙｎｃが入力される前のフレーム期間「Ａ」では、出力Ｖｓｙｎｃと入力Ｖｓｙｎｃとの間隔は図４に示す「ａ」となる。また、フレーム期間が「０．８」の入力Ｖｓｙｎｃが入力されたフレーム期間「Ｂ」では、出力Ｖｓｙｎｃと入力Ｖｓｙｎｃとの間隔は、図４に示す「ｂ」となる。図４に示すように「ｂ」の長さは、「ａ」の長さよりも短い。また、フレーム期間「Ｂ」において「０．８」の入力Ｖｓｙｎｃが入力されたことで、後続のフレーム期間「Ｃ」及び「Ｄ」においても出力Ｖｓｙｎｃと入力Ｖｓｙｎｃとの間隔は「ｂ」のままとなる。
【００４８】
図５は、入力Ｖｓｙｎｃのフレーム期間「Ｂ」においてフレーム期間の変動が検出されたため、後続のフレーム期間「Ｃ」、「Ｄ」、「Ｅ」において出力信号生成部１３１３が第２出力パターンを選択して駆動信号を出力した場合を示す。図５には、第２出力パターンのフレーム期間の長さが第１出力パターンのフレーム期間の長さの１．２倍である場合を示す。出力信号生成部１３１３が出力する駆動信号のフレーム期間が、１．２倍の長さに変更されたことで、図５に示すように、入力Ｖｓｙｎｃのフレーム期間「Ｄ」において、出力Ｖｓｙｎｃと入力Ｖｓｙｎｃとの間隔が「ｂ」から「ｂ−α」に変更される。「α」は、任意の正数である。出力信号生成部１３１３は、カウンター１３１１のカウント値が設定範囲内の値（図４に示す間隔「ａ」）となるまで、出力パターンとして第２出力パターンを選択し、選択した第２出力パターンに対するフレーム期間の駆動信号を出力する。これにより、入力Ｖｓｙｎｃのフレーム期間に変動が生じても、出力Ｖｓｙｎｃのフレーム期間を、変動後のフレーム期間に対応させることができる。
【００４９】
図６には、フレーム期間「Ｂ」の長さが「１．３」であり、他のフレーム期間「Ａ、Ｃ及びＤ」の長さ「１．０」よりもフレーム期間の長さが長い場合を示す。なお、「１．３」とは、１６．７ミリ秒を「１．０」とした場合の比率であり、２１．７１ミリ秒である。
フレーム期間「Ｂ」の長さが「１．３」に変動した場合、カウンター１３１１のカウント値が第２しきい値よりも大きい値となる。フレーム期間の長さが「１．３」の入力Ｖｓｙｎｃが入力される前のフレーム期間「Ａ」では、出力Ｖｓｙｎｃと入力Ｖｓｙｎｃとの間隔は図４に示す「ａ」となる。また、フレーム期間が「１．３」の入力Ｖｓｙｎｃが入力されたフレーム期間「Ｂ」では、出力Ｖｓｙｎｃと入力Ｖｓｙｎｃとの間隔は、図６に示す「ｃ」となる。図６に示すように「ｃ」の長さは、「ａ」の長さよりも長い。また、フレーム期間「Ｂ」において「１．３」の入力Ｖｓｙｎｃが入力されたことで、後続のフレーム期間「Ｃ」及び「Ｄ」においても出力Ｖｓｙｎｃと入力Ｖｓｙｎｃとの間隔は「ｃ」のままとなる。
【００５０】
図７は、入力Ｖｓｙｎｃのフレーム期間「Ｂ」においてフレーム期間の変動が検出されたため、後続のフレーム期間「Ｃ」、「Ｄ」、「Ｅ」において出力信号生成部１３１３が第２出力パターンを選択して駆動信号を出力した場合を示す。図７には、第２出力パターンのフレーム期間の長さが第１出力パターンのフレーム期間の長さの１．２倍である場合を示す。出力信号生成部１３１３が出力する駆動信号のフレーム期間が、１．２倍の長さに変更されたことで、図７に示すように、入力Ｖｓｙｎｃのフレーム期間「Ｄ」において、出力Ｖｓｙｎｃと入力Ｖｓｙｎｃとの間隔が「ｃ」から「ｃ−β」に変更される。「β」は、任意の正数である。出力信号生成部１３１３は、カウンター１３１１のカウント値が設定範囲内の値（図４に示す間隔「ａ」）となるまで、出力パターンとして第２出力パターンを選択し、選択した第２出力パターンに対するフレーム期間の駆動信号を出力する。これにより、入力Ｖｓｙｎｃのフレーム期間に変動が生じても、出力Ｖｓｙｎｃのフレーム期間を、変動後のフレーム期間に対応させることができる。
【００５１】
［３．画像処理部の動作］
図８は、画像処理部１３０の動作を示すフローチャートである。
図８に示すフローチャートを参照しながら画像処理部１３０の動作を説明する。
まず、画像処理部１３０は、画像Ｉ／Ｆ部１０５から画像データが入力されたか否かを判定する（ステップＳ１）。画像処理部１３０は、画像Ｉ／Ｆ部１０５から画像データの入力がない場合（ステップＳ１／ＮＯ）、画像データが入力されるまで処理の開始を待機する。
【００５２】
また、画像処理部１３０は、画像Ｉ／Ｆ部１０５から画像データが入力され（ステップＳ１／ＹＥＳ）、入力された画像データがフレームメモリー１３５に展開されると、処理実行部１３１２により画像処理を実行する（ステップＳ２）。出力信号生成部１３１３は、画像データが最初の１フレーム目の画像データである場合、第１出力パターンを選択する。出力信号生成部１３１３は、選択した第１出力パターンに従って、フレームメモリー１３５から画像データを読み出して駆動信号を生成し、生成した駆動信号を出力同期信号と共に光変調部駆動部１１７に出力する。また、出力信号生成部１３１３は、出力Ｖｓｙｎｃの出力タイミングに合わせてカウンター１３１１に通知を出力する。
【００５３】
カウンター１３１１は、出力信号生成部１３１３から出力タイミングの通知がない場合（ステップＳ３／ＮＯ）、カウントの開始を待機する。カウンター１３１１は、出力タイミングの通知を受けると（ステップＳ３／ＹＥＳ）、カウントを開始する（ステップＳ４）。
【００５４】
次に、カウンター１３１１は、画像Ｉ／Ｆ部１０５から入力同期信号に含まれる入力Ｖｓｙｎｃが入力されたか否かを判定する（ステップＳ５）。カウンター１３１１は、入力Ｖｓｙｎｃの入力がない場合（ステップＳ５／ＮＯ）、カウントを継続する。また、カウンター１３１１は、入力Ｖｓｙｎｃが入力された場合（ステップＳ５／ＹＥＳ）、カウントを終了し（ステップＳ６）、出力信号生成部１３１３にカウント値を出力する（ステップＳ７）。
【００５５】
出力信号生成部１３１３は、カウンター１３１１からカウント値が入力されると、入力されたカウント値を第１しきい値と比較する（ステップＳ８）。
出力信号生成部１３１３は、カウント値が第１しきい値よりも小さい場合（ステップＳ８／ＮＯ）、フレーム期間に変動が生じたと判定する。この場合、出力信号生成部１３１３は、出力パターンとして第２出力パターンを選択する（ステップＳ１４）。出力信号生成部１３１３は、画像データを構成する各画素の画素データの階調値を取得し、取得した階調値に対応した第２出力パターンを選択する。出力信号生成部１３１３は、選択した第２出力パターンに従い、各サブフィールド期間をオン又はオフに設定して駆動信号を生成する（ステップＳ１５）。出力信号生成部１３１３は、生成した駆動信号を出力同期信号と共に光変調部駆動部１１７に出力する（ステップＳ１６）。
【００５６】
次に、出力信号生成部１３１３は、１フレームの画像データに対する処理が終了したか否かを判定する（ステップＳ１７）。出力信号生成部１３１３は、１フレームの画像データに対する処理が終了していない場合（ステップＳ１７／ＮＯ）、ステップＳ１５に戻り、駆動信号の生成を継続する。また、出力信号生成部１３１３は、１フレームの画像データに対する処理が終了した場合（ステップＳ１７／ＹＥＳ）、ステップＳ３に移行する。
【００５７】
また、ステップＳ８において、カウント値が第１しきい値以上である場合（ステップＳ８／ＹＥＳ）、出力信号生成部１３１３は、カウント値を第２しきい値と比較する（ステップＳ９）。出力信号生成部１３１３は、カウント値が第２しきい値よりも大きいと判定した場合（ステップＳ９／ＮＯ）、フレーム期間に変動が生じていると判定し、出力パターンとして第２出力パターンを選択する（ステップＳ１４）。その後、出力信号生成部１３１３は、１フレームの画像データに対してステップＳ１５〜Ｓ１７の処理を繰り返す。
【００５８】
また、出力信号生成部１３１３は、カウント値が第２しきい値よりも小さい場合（ステップＳ９／ＹＥＳ）、フレーム期間に変動が生じていないと判定し、出力パターンとして第１出力パターンを選択する（ステップＳ１０）。その後、出力信号生成部１３１３は、画像データを構成する各画素の画素データの階調値を取得し、取得した階調値に対応した第１出力パターンを選択する。出力信号生成部１３１３は、選択した第１出力パターンに従い、各サブフィールド期間をオン又はオフに設定して駆動信号を生成する（ステップＳ１１）。出力信号生成部１３１３は、生成した駆動信号を出力同期信号と共に光変調部駆動部１１７に出力する（ステップＳ１２）。
【００５９】
次に、出力信号生成部１３１３は、１フレームの画像データに対する処理が終了したか否かを判定する（ステップＳ１３）。出力信号生成部１３１３は、１フレームの画像データに対する処理が終了していない場合（ステップＳ１３／ＮＯ）、ステップＳ１１に戻り、駆動信号の生成を継続する。また、出力信号生成部１３１３は、１フレームの画像データに対する処理が終了した場合（ステップＳ１３／ＹＥＳ）、ステップＳ３に移行する。
【００６０】
上述した実施形態では、出力パターンとしてフレーム期間が標準期間の第１出力パターンと、フレーム期間が標準期間よりも長い第２出力パターンとの２つの出力パターンにより駆動信号を生成する場合を説明した。これ以外の構成として、第１出力パターン及び第２出力パターンと、フレーム期間が標準期間よりも短い第３出力パターンとの３つの出力パターンにより駆動信号を生成する構成であってもよい。
【００６１】
出力信号生成部１３１３は、カウンター１３１１のカウント値が、第１しきい値よりも小さい場合、第３出力パターンを選択する。出力信号生成部１３１３は、各画素の画素データが示す階調値に対応した第３出力パターンを選択し、選択した第３出力パターンに従って駆動信号を生成する。
また、出力信号生成部１３１３は、カウンター１３１１のカウント値が、第２しきい値よりも大きい場合、第２出力パターンを選択する。出力信号生成部１３１３は、各画素の画素データが示す階調値に対応した第２出力パターンを選択し、選択した第２出力パターンに従って駆動信号を生成する。
また、出力信号生成部１３１３は、カウンター１３１１のカウント値が、第１しきい値以上であって、第２しきい値以下である場合、第１出力パターンを選択する。出力信号生成部１３１３は、各画素の画素データが示す階調値に対応した第１出力パターンを選択し、選択した第１出力パターンに従って駆動信号を生成する。
【００６２】
以上説明したように本実施形態のプロジェクター１００は、投射部１１０と、画像処理部１３０と、出力パターン記憶部１３１５とを備える。
【００６３】
画像処理部１３０は、入力画像データに基づく画像をフレームごとにフレームメモリー１３５に展開し、フレームメモリー１３５に展開された画像を表示するための駆動信号を投射部１１０に出力する。出力パターン記憶部１３１５は、駆動信号を規定する複数の出力パターンを記憶する。出力パターン記憶部１３１５が記憶する複数の出力パターンは、出力期間の長さが異なり、出力期間における駆動信号のオン及びオフのタイミングを規定するパターンである。
【００６４】
画像処理部１３０は、駆動信号を、入力画像データのフレーム期間に対応し、駆動信号のオン期間及びオフ期間を含む出力期間を単位として出力する。また、画像処理部１３０は、入力画像データのフレーム期間と駆動信号の出力期間との差に基づいて、複数の出力パターンのいずれかを選択し、選択した出力パターンに従って駆動信号を出力する。
【００６５】
従って、入力画像データのフレーム期間と駆動信号の出力期間との差に基づいて、出力期間の長さが異なる複数の出力パターンのいずれかが選択される。このため、選択した出力パターンに従って駆動信号を出力することで、入力画像データのフレーム期間が変動しても、良好な階調性を維持して画像を表示することができる。
【００６６】
画像処理部１３０は、入力画像データのフレーム期間を規定する入力Ｖｓｙｎｃと、駆動信号の出力期間を規定する出力Ｖｓｙｎｃとの差に基づいて、出力パターンを選択する。
従って、入力画像データのフレーム期間に変動が生じても、生じた変動に対応した最適な出力パターンを選択することができる。
【００６７】
出力パターン記憶部１３１５は、第１出力パターンと、第１出力パターンよりも出力期間が長い第２出力パターンとを記憶する。
画像処理部１３０は、入力画像データのフレーム期間と、駆動信号の出力期間との差を求め、求めた差が予め設定された設定範囲から逸脱する場合は、第２出力パターンに対応した出力期間で駆動信号を出力する。また、画像処理部１３０は、求めた差が設定範囲以内の場合は、第１出力パターンに対応した出力期間で駆動信号を出力する。
【００６８】
従って、入力画像データのフレーム期間と、駆動信号の出力期間との差に応じて第１出力パターン及び第２出力パターンのいずれかを選択し、選択した出力パターンに対応した出力期間で駆動信号を出力することができる。このため、入力画像データのフレーム期間に変動が生じても、最適な出力パターンを選択して、良好な階調性を維持して画像を表示することができる。
【００６９】
また、出力パターン記憶部１３１５は、第１出力パターンと、第１出力パターンよりも出力期間が長い第２出力パターンと、第１出力パターンよりも出力期間が短い第３出力パターンとを記憶する。
画像処理部１３０は、入力画像データのフレーム期間と、駆動信号の出力期間との差を求め、求めた差が予め設定された設定範囲よりも大きい場合は、第２出力パターンに対した出力期間で駆動信号を出力する。また、画像処理部１３０は、求めた差が設定範囲よりも小さい場合は、第３出力パターンに対応した出力期間で駆動信号を出力する。また、画像処理部１３０は、求めた差が設定範囲以内の場合は、第１出力パターンに対応した出力期間で駆動信号を出力する。
【００７０】
従って、入力画像データのフレーム期間と、駆動信号の出力期間との差に応じて第１出力パターン、第２出力パターン及び第３出力パターンのいずれかを選択し、選択した出力パターンに対応した出力期間で駆動信号を出力することができる。このため、入力画像データのフレーム期間に変動が生じても、最適な出力パターンを選択して、良好な階調性を維持して画像を表示することができる。
【００７１】
出力パターン記憶部１３１５は、投射部１１０が表現可能な階調値ごとに、出力パターンを記憶する。出力パターンの各々は、対応する階調値に応じて駆動信号のオン及びオフのタイミングが規定される。
画像処理部１３０は、入力画像データの階調値に対応した出力パターンを取得し、取得した出力パターンに従って駆動信号を出力する。
従って、入力画像データの階調値に対応した出力パターンに従って駆動信号を出力し、階調値に対応した画像を投射部１１０に投射させることができる。
【００７２】
駆動信号は、複数のサブ期間を有している。
画像処理部１３０は、選択した出力パターンに従って複数のサブ期間の各々をオン期間又はオフ期間に設定する。
従って、駆動信号を、サブ期間ごとにオン状態とオフ状態とに切り替えることができるので、入力画像データの階調値に対応した画像を投射部１１０に表示させることができる。
【００７３】
投射部１１０は、複数の光変調素子１１５を備える光変調部１１２を備える。また、投射部１１０は、駆動信号に従って複数の光変調素子１１５を駆動する光変調部駆動部１１７を備える。この光変調部駆動部１１７は、サブ期間ごとに、複数の光変調素子１１５の変調状態を変更して、光源部１１１から射出された光を透過させるオン状態と、光源部１１１から射出された光を透過させないオフ状態とに制御する。
従って、駆動信号により光変調素子１１５の変調状態を制御して、入力画像データの階調値に対応した画像を投射部１１０に投射させることができる。
【００７４】
上述した実施形態は、本発明の好適な実施の形態である。ただし、上述の実施形態に限定されるものではなく、本発明の要旨を逸脱しない範囲内において種々の変形実施が可能である。
例えば、上記実施形態では、プロジェクター１００を表示装置の一例として示したが、本発明の表示装置は、液晶表示パネルに画像を表示する液晶モニター、液晶テレビ等であってもよい。
【００７５】
また、図１及び図２に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、或いは、ハードウェアで実現される機能の一部をソフトウェアで実現してもよい。その他、プロジェクター１００の他の各部の具体的な細部構成についても、本発明の趣旨を逸脱しない範囲で任意に変更可能である。
【００７６】
また、本発明の表示装置の制御方法は、表示装置が備えるコンピューターに、表示装置の制御方法に対応したプログラムを実行させることで実現できる。また、このプログラムは、コンピューターで読み取り可能に記録した記録媒体に記録しておくことも可能である。記録媒体としては、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標） Ｄｉｓｃ、光磁気ディスク、フラッシュメモリー、カード型記録媒体等の可搬型、或いは固定式の記録媒体が挙げられる。また、記録媒体は、画像表示装置が備える内部記憶装置であるＲＡＭ（Random Access Memory）、ＲＯＭ（Read Only Memory）、ＨＤＤ等の不揮発性記憶装置であってもよい。また、表示装置の制御方法に対応したプログラムをサーバー装置等に記憶させておき、サーバー装置から表示装置に、プログラムをダウンロードすることで表示装置の制御方法を実現することもできる。
【符号の説明】
【００７７】
１００…プロジェクター、１０５…画像Ｉ／Ｆ部、１０７…バス、１１０…投射部、１１１…光源部、１１２…光変調部、１１３…投射光学系、１１５…光変調素子、１１６…光源駆動部、１１７…光変調部駆動部、１２１…リモコン受光部、１２３…操作パネル、１２５…入出力Ｉ／Ｆ部、１２７…無線通信部、１３０…画像処理部、１３５…フレームメモリー、１５０…制御部、１５３…プロセッサー、１５５…メモリー、２００…画像ソース機器、１３１１…カウンター、１３１２…処理実行部、１３１３…出力信号生成部、１３１５…出力パターン記憶部。
【図１】
2019168630.tif 000003
【図２】
2019168630.tif 000004
【図３】
2019168630.tif 000005
【図４】
2019168630.tif 000006
【図５】
2019168630.tif 000007
【図６】
2019168630.tif 000008
【図７】
2019168630.tif 000009
【図８】
2019168630.tif 000010